(57)【要約】【課題】呼び出しが行われた現場において、患者が外国人である場合でも看護師が患者の用件を容易に確認できるようにする。【解決手段】用件伝達型子機７が、外国語で用件の内容が表記された複数の用件ボタン７ａを有し、何れかの用件ボタン７ａの押下に応じて呼出信号を送信する一方、押下された用件ボタン７ａを点灯状態にするとともに、復旧ボタン７ｄの押下に応じて点灯状態を解除する。また、復旧ボタン７ｄの押下に応じて、点灯中の用件ボタン７ａに対応する用件の内容を表す原語の合成音声をハンド形子機６のスピーカ６ｂから出力することにより、呼び出しを受けて患者のもとに訪れた看護師が、外国語で用件の内容が表記された用件ボタン７ａを見て用件の内容を把握することができなくても、復旧ボタン７ｄの押下に応じて出力される原語の合成音声によって患者の用件を把握することができるようにする。【選択図】図１
2020191512.tif 000002
【特許請求の範囲】
【請求項１】
ナースコール子機と、上記ナースコール子機からの呼び出しを受けて報知動作を行うナースコール親機とを備えたナースコールシステムであって、
上記ナースコール子機は、
上記ナースコール親機の報知動作で使用される原語以外の外国語で用件の内容が表記された複数の用件ボタンと、
上記用件ボタンの押下に応じて呼出信号を送信する呼出信号送信部と、
上記用件ボタンの押下に応じて、押下された用件ボタンに対応する用件の内容を識別可能に表示させた表示状態にするとともに、上記ナースコール子機が設置される部屋内で行われる所定の復旧操作に応じて上記表示状態を解除するように制御する表示制御部と、
上記ナースコール子機が設置される部屋内で行われる所定の操作に応じて、上記表示制御部により識別可能に表示されている用件ボタンに対応する用件の内容を表す原語の合成音声を出力するための関連処理を実行する音声出力関連処理実行部とを備え、
上記ナースコール親機は、
上記呼出信号の受信に応じて所定の報知動作を行い、所定の応答操作に応じて上記報知動作を停止する報知処理部を備えた
ことを特徴とするナースコールシステム。
【請求項２】
上記音声出力関連処理実行部が上記関連処理を実行するトリガとなる上記所定の操作は、上記所定の復旧操作であることを特徴とする請求項１に記載のナースコールシステム。
【請求項３】
上記音声出力関連処理実行部が上記関連処理を実行するトリガとなる上記所定の操作は、上記所定の復旧操作とは別の操作であることを特徴とする請求項１に記載のナースコールシステム。
【請求項４】
上記ナースコール子機と上記ナースコール親機との間に設置される中継器を更に備え、
上記ナースコール子機の上記呼出信号送信部は、上記用件ボタンの押下に応じて、押下された用件ボタンを識別可能なボタン識別情報を含む呼出信号を上記中継器に送信し、
上記中継器は、
上記呼出信号送信部により送信された呼出信号を受信し、特定の一の呼出種別の呼出信号として上記ナースコール親機に中継する呼出信号中継部と、
上記ナースコール親機との間に通話路が形成された後、上記ナースコール子機から受信した呼出信号に含まれる上記ボタン識別情報に応じた上記原語の合成音声を、上記通話路を介して上記ナースコール親機に送信する合成音声送信部とを備え、
上記ナースコール親機は、
上記呼出信号中継部により中継された呼出信号の受信に応じて上記報知処理部により行われる上記報知動作に対する応答操作を検出したときに、通話路を形成する通話路形成部と、
上記通話路形成部により形成された通話路を介して上記中継器から送られてくる上記合成音声を受信する合成音声受信部と、
上記合成音声受信部により受信された合成音声を出力する合成音声出力部とを更に備えた
ことを特徴とする請求項１〜３の何れか１項に記載のナースコールシステム。
【請求項５】
上記ナースコール子機の音声出力関連処理実行部は、上記所定の操作に応じて、上記表示制御部により識別可能に表示されている用件ボタンを識別可能なボタン識別情報を含む合成音声出力指示信号を上記中継器に送信し、
上記中継器は、
一または複数の呼出種別に対応する呼出ボタンおよびスピーカを備えた第２のナースコール子機を接続可能に構成され、
上記音声出力関連処理実行部により送信された上記合成音声出力指示信号を受信する指示信号受信部と、
複数種類の合成音声に対応した複数の音声データと上記ボタン識別情報とを関連付けて記憶する音声データ記憶部と、
上記ナースコール子機から受信した上記呼出信号または上記合成音声出力指示信号に含まれる上記ボタン識別情報に応じた音声データを上記音声データ記憶部から読み出して上記合成音声を生成する合成音声生成部とを備え、
上記合成音声送信部は、上記呼出信号中継部が上記ナースコール子機から上記呼出信号を受信した場合、上記合成音声生成部により生成された上記合成音声を、上記通話路を介して上記ナースコール親機に送信する一方、上記指示信号受信部が上記ナースコール子機から上記合成音声出力指示信号を受信した場合、上記合成音声生成部により生成された上記合成音声を上記第２のナースコール子機に送信する
ことを特徴とする請求項４に記載のナースコールシステム。
【請求項６】
上記呼出信号中継部が上記ナースコール子機から上記呼出信号を受信した場合、上記合成音声を上記ナースコール親機に送信することによって当該合成音声を上記ナースコール親機のスピーカから出力させる一方、上記第２のナースコール子機のスピーカからは上記合成音声を出力させないようにし、上記指示信号受信部が上記ナースコール子機から上記合成音声出力指示信号を受信した場合、上記合成音声を上記第２のナースコール子機に送信することによって当該合成音声を上記第２のナースコール子機のスピーカから出力させる一方、上記ナースコール親機のスピーカからは上記合成音声を出力させないようにすることを特徴とする請求項５に記載のナースコールシステム。
【請求項７】
ナースコール親機の報知動作で使用される原語以外の外国語で用件の内容が表記された複数の用件ボタンと、
上記用件ボタンの押下に応じて呼出信号を送信する呼出信号送信部と、
上記用件ボタンの押下に応じて、押下された用件ボタンに対応する用件の内容を識別可能に表示させた表示状態にするとともに、本装置が設置される部屋内で行われる所定の復旧操作に応じて上記表示状態を解除するように制御する表示制御部と、
上記本装置が設置される部屋内で行われる所定の操作に応じて、上記表示制御部により識別可能に表示されている用件ボタンに対応する用件の内容を表す原語の合成音声を出力するための関連処理を実行する音声出力関連処理実行部とを備えた
ことを特徴とするナースコール装置。
【発明の詳細な説明】
【技術分野】
【０００１】
本発明は、ナースコールシステムおよびナースコール装置に関し、特に、現場復旧方式のナースコールシステムおよびこれに用いるナースコール装置に関するものである。
【背景技術】
【０００２】
一般に、病院や介護施設などに設置されるナースコールシステムは、患者や被介護者（以下、単に「患者」と言う）のベッドサイドなどに設置するナースコール子機と、ナースステーションなどに設置するナースコール親機とを備えて構成されている。また、ナースコール親機として、医師や看護師、介護師（以下、単に「看護師」と言う）が携行する携帯型のナースコール親機を備えたナースコールシステムも提供されている。
【０００３】
このように構成されたナースコールシステムでは、患者がナースコール子機の呼出ボタンを操作すると、ナースコール親機にて所定の報知動作が行われ、これによって看護師を呼び出すことができる。これに応じて看護師がナースコール親機にてオフフック等の応答操作を行うと、ナースコール親機による報知動作が停止し、ナースコール子機とナースコール親機との間に通話路が形成されて、患者と看護師とが通話を行うことができる状態となる。
【０００４】
また、ナースコール子機に患者用情報端末を接続し、この患者用情報端末を利用して呼び出しを行うことができるようにしたシステムも知られている（例えば、特許文献１参照）。特許文献１に記載のナースコールシステムにおいて、患者用子機に接続された患者用情報端末は、液晶タッチパネルディスプレイからなる表示部を備え、ナースコール使用時に、ナースコール親機を呼び出す目的に対応した選択肢を含む呼出メニューを表示部に表示し、選択肢の１つにタッチすることによって目的別呼び出しを実行する。ナースコール親機は、患者からの目的別呼び出しに対応して、呼び出しの種類、対応する医師、看護婦、准看護婦等の人員、患者情報等の情報画面を表示する。
【先行技術文献】
【特許文献】
【０００５】
【特許文献１】特開２００２−１３２９２９号公報
【発明の概要】
【発明が解決しようとする課題】
【０００６】
上記特許文献１に記載のナースコールシステムによれば、目的別呼び出しが実行された場合に表示されるナースコール親機の情報画面を見れば、呼び出しの種類（患者が呼び出しを行った目的）を把握することが可能である。しかしながら、看護師がナースコール親機で応答操作を行ってからすぐに病室に向かうことができるとは限らないため、情報画面によって確認した呼び出しの目的を失念してしまうことがある。この場合は、病室において看護師が患者に呼び出しの目的を確認する必要があり、看護作業の効率が落ちるという問題があった。
【０００７】
このような問題を解消するための１つの方法として、特許文献１に記載の患者用情報端末が備える表示部に表示された呼出メニューにおいて、呼び出しのためにタッチされた選択肢を他と識別可能な状態で表示したままにしておくことが考えられる。このようにすれば、患者のもとに訪れた看護師は、呼出メニューの表示状態を見ることにより、患者がどのような用件で呼び出しを行ったのかを把握することが可能である。
【０００８】
ところで、患者が外国人である場合に対応して、呼出メニューの選択肢を外国語で表記する場合が考えられる。しかしながら、このように呼出メニューの選択肢が外国語で表記されている場合、タッチされた選択肢が識別可能に表示されていたとしても、外国語に堪能でない看護師にとって、その選択肢の表示を見て患者の用件を把握することが困難であるという問題があった。
【０００９】
本発明は、このような問題を解決するために成されたものであり、呼び出しが行われた現場において、患者が外国人である場合においても患者の説明を要することなく看護師が患者の用件を容易に確認できるようにすることを目的とする。
【課題を解決するための手段】
【００１０】
上記した課題を解決するために、本発明のナースコールシステムでは、ナースコール子機が、ナースコール親機の報知動作で使用される原語以外の外国語で用件の内容が表記された複数の用件ボタンを有し、何れかの用件ボタンの押下に応じて呼出信号を送信する一方、押下された用件ボタンに対応する用件の内容を識別可能に表示させた表示状態にするとともに、ナースコール子機が設置される部屋内で行われる所定の復旧操作に応じて表示状態を解除するようにしている。さらに、本発明では、ナースコール子機が設置される部屋内で行われる所定の操作に応じて、用件ボタンの押下に応じて識別可能に表示されている用件ボタンに対応する用件の内容を表す原語の合成音声を出力するための関連処理を実行するようにしている。
【発明の効果】
【００１１】
上記のように構成した本発明によれば、ナースコール子機において用件ボタンが押下されると、押下された用件ボタンに対応する用件の内容が識別可能に表示された表示状態となる。その後、呼出信号がナースコール親機に送信されて所定の報知動作が行われ、所定の応答操作に応じて報知動作が停止したとしても、ナースコール子機が設置される部屋内において所定の復旧操作が行われるまでは上記の表示状態が維持され、復旧操作が行われたときに表示状態が解除される。また、ナースコール子機が設置される部屋内において所定の操作が行われると、押下されたことが識別可能に表示されていた用件ボタンに対応する用件の内容を表す合成音声が原語で出力される。このため、用件ボタンの押下によって呼び出しが行われた現場において、看護師は、外国語で用件の内容が表記された用件ボタンを見て用件の内容を把握することができなくても、原語で出力される合成音声によって患者の用件を把握することができる。これにより、呼び出しが行われた現場において、看護師は、患者が外国人である場合においても、患者の説明を要することなく患者の用件を容易に確認することができる。
【図面の簡単な説明】
【００１２】
【図１】本実施形態によるナースコールシステムの全体構成例を示す図である。
【図２】本実施形態による用件伝達型子機の外観構成例を示す図である。
【図３】本実施形態によるナースコールシステムの機能構成例を示すブロック図である。
【図４】本実施形態による音声データ記憶部が記憶する複数の音声データに対応する合成音声の内容およびボタン識別情報との関連付けを模式的に示す図である。
【図５】本実施形態によるナースコールシステムの用件ボタンの押下時における動作例を示すフローチャートである。
【図６】本実施形態によるナースコールシステムの復旧ボタンの押下時における動作例を示すフローチャートである。
【発明を実施するための形態】
【００１３】
以下、本発明の一実施形態を図面に基づいて説明する。図１は、本実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１４】
図１に示すように、本実施形態のナースコールシステムは、ナースコール親機１、制御機２、廊下灯３、壁埋込形子機４、中継器５、ハンド形子機６（特許請求の範囲における第２のナースコール子機に相当）および用件伝達型子機７（特許請求の範囲におけるナースコール子機およびナースコール装置に相当）を備えて構成されている。ナースコール親機１は、ナースステーションに設置されるものであってもよいし、個々の看護師が携行する携帯型のナースコール親機であってもよい。壁埋込形子機４、中継器５、ハンド形子機６および用件伝達型子機７は、患者の病室内に設置される。
【００１５】
ナースコール親機１は、患者（ハンド形子機６または用件伝達型子機７）からの呼び出しに対する応答の操作を行い、看護師が患者と通話を行うためのものである。ナースコール親機１は、患者からの呼び出しを受けたとき、所定の報知動作を行う。報知動作は、ナースコール親機１が備えるスピーカから呼出音を出力するとともに、ナースコール親機１が備えるディスプレイに対して呼び出しに係る患者および呼出種別などの情報を表示させることによって行われる。この報知動作（ディスプレイに対する情報の表示）は、ナースコールシステムが使用される国の原語によって行われる。本実施形態では、ナースコールシステムが日本で使用され、原語は日本語であるものとする。
【００１６】
この報知動作の実行中に、看護師がオフフック等の応答操作を行うと、ナースコール親機１は上述の報知動作を停止するとともに通話路を形成する。詳細は後述するが、ハンド形子機６からの呼び出しに対して応答操作が行われた場合、ナースコール親機１はハンド形子機６との間に通話路を形成し、患者と通話を行うことができる状態とする。また、用件伝達型子機７からの呼び出しに対して応答操作が行われた場合、ナースコール親機１は中継器５との間に通話路を形成し、中継器５から送られてくる日本語の合成音声を受信してスピーカから出力する。
【００１７】
制御機２は、ナースコール親機１と廊下灯３との間に配置され、通話やデータの送受信に関する制御を行う。送受信されるデータには、ハンド形子機６または用件伝達型子機７からナースコール親機１に送られる呼出信号、ナースコール親機１から用件伝達型子機７に送られる応答通知信号、中継器５からナースコール親機１に送られる合成音声の音声信号などが含まれる。
【００１８】
廊下灯３は、病院の各病室の入口付近外部に設置される。この廊下灯３は、表示装置を備え、病室内の患者名が表示されるとともに、病室内の患者がハンド形子機６または用件伝達型子機７を用いて看護師の呼び出しを行うと、呼び出しが行われたことが表示されるようになっている。なお、呼び出しが行われたことの表示は、ＬＥＤの点灯または点滅により行うようにしてよい。ＬＥＤは、所定の復旧操作が行われたときに消灯する。
【００１９】
廊下灯３は、ハンド形子機６または用件伝達型子機７から中継器５を介して送信された呼出信号を、制御機２を介してナースコール親機１に送信する。また、廊下灯３は、ナースコール親機１から制御機２を介して送信された応答通知信号を、壁埋込形子機４および中継器５を介して用件伝達型子機７に送信する。また、廊下灯３は、ナースコール親機１での応答操作により形成された通話路を介して中継器５から送信された音声信号（ハンド形子機６のマイクから入力された患者の通話音声、または中継器５にて生成された用件伝達のための合成音声に関するもの）を、制御機２を介してナースコール親機１に送信するとともに、ナースコール親機１から制御機２を介して送られてきた看護師の通話音声に係る音声信号を、壁埋込形子機４および中継器５を介してハンド形子機６に送信する。
【００２０】
壁埋込形子機４は、病室の各ベッドサイドの壁に埋め込み設置される。この壁埋込形子機４は、廊下灯３に接続されている。壁埋込形子機４は、中継器５またはハンド形子機６を接続するための接続端子を備えている。ハンド形子機６を壁埋込形子機４に直接接続することも可能であるが、本実施形態では、壁埋込形子機４に中継器５を接続し、その中継器５にハンド形子機６を接続している。壁埋込形子機４は、廊下灯３と中継器５との間で上述した呼出信号、応答通知信号および音声信号を送受信する。なお、壁埋込形子機４は、患者が看護師を呼び出すための呼出ボタン、患者が看護師と会話を行う際に使用するマイクおよびスピーカを備えてもよい。
【００２１】
ハンド形子機６は、壁埋込形子機４または中継器５に接続され、患者のベッドサイドに設置される。上述のように、ハンド形子機６は壁埋込形子機４に直接接続することも可能であるが、本実施形態では、壁埋込形子機４に接続した中継器５に対してハンド形子機６を接続するようにしている。ハンド形子機６は、患者が看護師を呼び出すための呼出ボタン６ａ、患者が看護師と会話を行う際に使用するマイク（図示せず）およびスピーカ６ｂを備えている。
【００２２】
ハンド形子機６は、一または複数の呼出種別に対応する呼出ボタン６ａを備えており、患者が何れかの呼出ボタン６ａを操作すると、操作された呼出ボタン６ａに対応する呼出種別の呼出信号が中継器５、壁埋込形子機４、廊下灯３および制御機２を介してナースコール親機１に送信されるようになっている。呼出種別は、例えば、一般呼出、緊急呼出、特定呼出（トイレまたは点滴）などである。
【００２３】
用件伝達型子機７は、中継器５に無線で接続され、患者のベッドサイドに設置される。例えば、用件伝達型子機７は、Ｂｌｕｅｔｏｏｔｈ（登録商標）の無線通信手段を用いて中継器５に接続される。用件伝達型子機７と中継器５とは１対１で無線通信を行う。無線通信をするに当たり、中継器５は用件伝達型子機７とのペアリング登録を行う。ペアリング登録に関する処理を行う機能は中継器５が備えている。例えば、中継器５が備える設定スイッチ５ａを長押しすることによってペアリング待機状態とした後、ペアリングする用件伝達型子機７において所定の操作をすることによって用件伝達型子機７の識別情報を中継器５に無線送信し、この識別情報を中継器５に記憶することにより、ペアリング登録を行う。
【００２４】
用件伝達型子機７は、患者が看護師を呼び出すための複数の用件ボタン７ａを備えており、患者が何れかの用件ボタン７ａを操作すると、操作された用件ボタン７ａを識別可能なボタン識別情報を含む呼出信号が中継器５に送信されるようになっている。この用件ボタン７ａには、ナースコール親機１の報知動作で使用される原語以外の外国語で用件の内容が表記されている。また、用件伝達型子機７は復旧ボタン７ｄを備えており、看護師がこれを押下することにより、復旧状態とすることができるようになっている。用件伝達型子機７は、バッテリを内蔵し、当該バッテリからの電源を得て動作する。本実施形態では、ペアリング登録の機能や、後述する音声合成の機能を中継器５が備えることにより、用件伝達型子機７のバッテリの消耗を抑制するようにしている。
【００２５】
中継器５は、用件伝達型子機７とナースコール親機１との間（具体的には、用件伝達型子機７と壁埋込形子機４との間）に設置される。中継器５は、一般電源のコンセントに接続され、当該コンセントから電源を得て動作する。中継器５は、壁埋込形子機４とハンド形子機６および用件伝達型子機７と間で上述した呼出信号、応答通知信号および音声信号を送受信する。
【００２６】
音声信号に関して、中継器５は、用件ボタン７ａの押下に応じて用件伝達型子機７から受信した呼出信号に含まれるボタン識別情報に対応する日本語の合成音声を生成し、生成した合成音声の音声信号を、壁埋込形子機４、廊下灯３および制御機２を介してナースコール親機１に送信する。また、中継器５は、復旧ボタン７ｄの押下に応じて用件伝達型子機７から受信した復旧信号（特許請求の範囲の合成音声出力指示信号の一例）に含まれるボタン識別情報に対応する日本語の合成音声を生成し、生成した合成音声の音声信号をハンド形子機６に送信する。これらの動作の詳細については後述する。なお、本明細書において「合成音声を送信する」ということがあるが、これは「合成音声の音声信号を送信する」と同義である。
【００２７】
図２は、用件伝達型子機７の外観構成例を示す図である。図２に示すように、用件伝達型子機７は、複数の用件ボタン７ａを備えている。本実施形態では、８個の用件ボタン７ａが筐体の正面の両サイドに４個ずつ並べて配置されている。１つ１つの用件ボタン７ａには、患者が看護師に伝達する用件の内容を端的に表した文言が日本語以外の外国語で記されている。これは、日本人以外の外国人が患者であり、外国人が用件伝達型子機７を使用することを想定したものである。図２の例では、「toilet（トイレ）」、「agonizing（苦しい）」、「medicine（くすり）」、「tube feeding（経管栄養）」、「painful（痛い）」、「phlegm（痰）」、「infusion（点滴）」、「affair（用事）」の各文言が８個の用件ボタン７ａにそれぞれ英語で記されている。
【００２８】
これらの用件ボタン７ａは、透光性を有する樹脂材料またはガラス材料などにより構成されており、その裏側（筐体の内側）にはＬＥＤが設置されている。用件ボタン７ａは、押下によって操作することができるようになされており、患者が何れかの用件ボタン７ａを押下すると、押下された用件ボタン７ａに対応するＬＥＤが点灯するとともに、押下された用件ボタン７ａを識別可能なボタン識別情報を含む呼出信号が中継器５に送信される。
【００２９】
上述した通り、用件ボタン７ａは透光性を有する材料により構成されているため、裏側のＬＥＤが点灯すると、押下された用件ボタン７ａが光って見え、どの用件ボタン７ａを押下したのかが一目で分かるようになっている。すなわち、押下された用件ボタン７ａに対応するＬＥＤが点灯することにより、当該押下された用件ボタン７ａに対応する用件の内容（用件ボタン７ａに記された文言の内容）が識別可能に表示された状態となる。以下の説明において、用件ボタン７ａの裏側に配置されたＬＥＤが点灯または消灯することを、便宜的に「用件ボタン７ａが点灯または消灯する」という。
【００３０】
用件伝達型子機７は、照明スイッチ７ｂを備えている。照明スイッチ７ｂも押下によって操作することができるようになされており、患者が照明スイッチ７ｂを押下すると、全ての用件ボタン７ａが点灯する。例えば、夜間において病室の照明が消灯された後、用件ボタン７ａに記された用件の文言が見えないときに照明スイッチ７ｂを押下することにより、全ての用件ボタン７ａを光らせて、文言の内容を確認することができるようにしている。なお、用件伝達型子機７が備える表示制御部（後述する）は、ＬＥＤを２段階の輝度で点灯させる調整機能を有しており、照明スイッチ７ｂが押下された場合は、全ての用件ボタン７ａを低輝度で点灯させる。また、何れかの用件ボタン７ａが押下された場合は、表示制御部はその押下された用件ボタン７ａを高輝度で点灯させる。
【００３１】
用件伝達型子機７は、応答表示ランプ７ｃを備えている。この応答表示ランプ７ｃは、用件ボタン７ａの押下により行われた呼び出しに対して看護師が応答したことを知らせるためのランプである。この応答表示ランプ７ｃも、透光性を有する材料の裏側にＬＥＤを配置した構成となっている。看護師がナースコール親機１にて応答操作を行うと、応答通知信号がナースコール親機１から用件伝達型子機７に送信される。そして、用件伝達型子機７がこの応答通知信号を受信すると、応答表示ランプ７ｃが点灯する。これにより、患者は、何れかの用件ボタン７ａを押下することによって行った呼び出しに対して看護師が応答したか否かを確認することができる。
【００３２】
用件伝達型子機７は、看護師が操作するための復旧ボタン７ｄを備えている。復旧ボタン７ｄは、これを患者が誤って操作してしまうことを抑制するために、患者が操作する用件ボタン７ａおよび照明スイッチ７ｂが配置された筐体の正面とは異なる上面に配置されている。この復旧ボタン７ｄは、患者により押下された用件ボタン７ａを消灯させて復旧状態とするためのボタンである。すなわち、看護師が病室に到着したときにこの復旧ボタン７ｄを押下することにより（ナースコール子機が設置される部屋内で行われる所定の復旧操作に相当）、患者により押下された用件ボタン７ａが点灯した状態を解除して、用件伝達型子機７を復旧状態に戻すことが可能である。
【００３３】
また、看護師が復旧ボタン７ｄを押下すると、用件の内容が識別可能に表示されている用件ボタン７ａ（患者による押下に応じて点灯中の用件ボタン７ａ）を識別可能なボタン識別情報を含む復旧信号（合成音声出力指示信号）が中継器５に送信される。そして、当該用件ボタン７ａに対応する用件の内容を表す日本語の合成音声が中継器５にて生成され、合成音声の音声信号がハンド形子機６に送信されてスピーカ６ｂから出力される。
【００３４】
図３は、本実施形態によるナースコールシステムの機能構成例を示すブロック図である。ここでは、ナースコール親機１、中継器５、ハンド形子機６および用件伝達型子機７の機能構成例を示している。
【００３５】
図３に示すように、本実施形態によるナースコール親機１は、機能構成として、呼出信号受信部１０１、報知処理部１０２、応答操作検出部１０３、通話路形成部１０４、合成音声受信部１０５および合成音声出力部１０６を備えている。また、ナースコール親機１は、ハードウェア構成として、スピーカ１１１およびディスプレイ１１２を備えている。
【００３６】
本実施形態による中継器５は、機能構成として、呼出信号中継部５０１、応答通知中継部５０２、通話路関連処理部５０３、合成音声生成部５０４、合成音声送信部５０５および復旧信号受信部５０６（特許請求の範囲の指示信号受信部に相当）を備えている。また、中継器５は、記憶媒体として、音声データ記憶部５１１を備えている。
【００３７】
本実施形態によるハンド形子機６は、機能構成として、合成音声受信部６０１および合成音声出力部６０２を備えている。本実施形態による用件伝達型子機７は、機能構成として、押下検出部７０１、呼出信号送信部７０２、表示制御部７０３、応答通知受信部７０４および復旧信号送信部７０５（特許請求の範囲の音声出力関連処理実行部に相当）を備えている。
【００３８】
上記ナースコール親機１、中継器５、ハンド形子機６および用件伝達型子機７が備える各機能ブロックは、それぞれハードウェア、ＤＳＰ（Digital Signal Processor）、ソフトウェアの何れによっても構成することが可能である。例えばソフトウェアによって構成する場合、上記各機能ブロックは、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記憶媒体に記憶されていてもよい。
【００３９】
用件伝達型子機７の押下検出部７０１は、患者による用件ボタン７ａ、照明スイッチ７ｂの押下を検出する。また、押下検出部７０１は、看護師による復旧ボタン７ｄの押下を検出する。押下検出部７０１は、患者による用件ボタン７ａの押下を検出した場合、その旨を呼出信号送信部７０２および表示制御部７０３に通知する。押下検出部７０１は、患者による照明スイッチ７ｂの押下を検出した場合、その旨を表示制御部７０３に通知する。また、押下検出部７０１は、看護師による復旧ボタン７ｄの押下を検出した場合、その旨を表示制御部７０３および復旧信号送信部７０５に通知する。
【００４０】
呼出信号送信部７０２は、用件ボタン７ａの押下に応じて、押下された用件ボタン７ａを識別可能なボタン識別情報を含む呼出信号を中継器５に送信する。なお、各用件ボタン７ａに対応するボタン識別情報は、用件伝達型子機７の図示しない記憶媒体にあらかじめ記憶されている。
【００４１】
表示制御部７０３は、用件ボタン７ａおよび応答表示ランプ７ｃの表示を制御する。すなわち、表示制御部７０３は、照明スイッチ７ｂの押下が押下検出部７０１により検出された場合は、全ての用件ボタン７ａを低輝度で点灯させる。例えば、表示制御部７０３は、照明スイッチ７ｂが押下されたときから一定時間だけ全ての用件ボタン７ａを低輝度で点灯させた後、全ての用件ボタン７ａを消灯させる。あるいは、表示制御部７０３は、照明スイッチ７ｂの押下に応じて全ての用件ボタン７ａを点灯させた後、照明スイッチ７ｂが再び押下された時点で全ての用件ボタン７ａを消灯させるようにしてもよいし、何れかの用件ボタン７ａが押下された時点で、当該押下された用件ボタン７ａ以外の用件ボタン７ａを消灯させるようにしてもよい。
【００４２】
また、表示制御部７０３は、何れかの用件ボタン７ａの押下が押下検出部７０１によりされた場合は、その押下された用件ボタン７ａを高輝度で点灯させることにより、押下された用件ボタン７ａに対応する用件の内容（用件ボタン７ａに記された文言の内容）を識別可能に表示させた表示状態にする。また、表示制御部７０３は、復旧ボタン７ｄの押下が押下検出部７０１により検出された場合は、点灯中の用件ボタン７ａを消灯させる（上記表示状態を解除する）。また、表示制御部７０３は、ナースコール親機１から送られてくる応答通知信号を応答通知受信部７０４が受信した場合に、応答表示ランプ７ｃを点灯させる。
【００４３】
応答通知受信部７０４は、上述の通り、ナースコール親機１から中継器５を介して送られてくる応答通知信号を受信し、その旨を表示制御部７０３に通知する。応答通知受信部７０４が受信する応答通知信号は、用件ボタン７ａの押下によって看護師の呼び出しが行われた後、看護師がナースコール親機１にて応答操作をすることによって発生する信号である。表示制御部７０３は、この応答通知受信部７０４による応答通知信号の受信に応じて、上述のように応答表示ランプ７ｃの点灯を制御する。
【００４４】
復旧信号送信部７０５は、復旧ボタン７ｄの押下（特許請求の範囲の所定の操作および所定の復旧操作に相当）に応じて、表示制御部７０３により識別可能に表示されている用件ボタン７ａを識別可能なボタン識別情報を含む復旧信号（合成音声出力指示信号）を中継器５に送信する。この処理は、特許請求の範囲の「表示制御部により識別可能に表示されている用件ボタンに対応する用件の内容を表す原語の合成音声を出力するための関連処理」に相当する。
【００４５】
中継器５の呼出信号中継部５０１は、ハンド形子機６の呼出ボタン６ａの押下に応じてハンド形子機６から送信された呼出信号を受信し、押下された呼出ボタン６ａに対応する呼出種別の呼出信号としてナースコール親機１に中継する。上述したように、ハンド形子機６が送信し得る呼出信号の呼出種別には、一般呼出、緊急呼出、特定呼出（トイレまたは点滴）がある。
【００４６】
また、呼出信号中継部５０１は、用件伝達型子機７の呼出信号送信部７０２により送信された呼出信号を受信した場合、その呼出信号に含まれるボタン識別情報を合成音声生成部５０４に通知するとともに、その呼出信号を特定の一の呼出種別の呼出信号（ボタン識別情報は含まない）としてナースコール親機１に中継する。呼出信号中継部５０１は、用件伝達型子機７から呼出信号を受信した場合、その呼出信号に含まれるボタン識別情報の内容によらず（すなわち、どの用件ボタン７ａが押下されたかによらず）、複数の呼出種別の中の特定の一の呼出種別（例えば、一般呼出）の呼出信号としてナースコール親機１に中継する。
【００４７】
すなわち、図２に示した「toilet（トイレ）」、「infusion（点滴）」の用件ボタン７ａは、一般的には特殊呼出という呼出種別が割り当てられるものであり、「agonizing（苦しい）」、「painful（痛い）」などの用件ボタン７ａは、一般的には緊急呼出という呼出種別が割り当てられる可能性のあるものであるが、これらの用件ボタン７ａが押下された場合も、呼出信号中継部５０１は一般呼出の呼出信号をナースコール親機１に送信する。
【００４８】
以上のように、呼出信号中継部５０１は、ハンド形子機６から呼出信号を受信した場合は、当該呼出信号を、押下された呼出ボタン６ａに応じた呼出種別の呼出信号としてナースコール親機１に中継する。一方、呼出信号中継部５０１は、用件伝達型子機７から呼出信号を受信した場合は、当該呼出信号を、特定の一の呼出種別の呼出信号としてナースコール親機に中継する。このように本実施形態では、ナースコールシステムに用意された呼出種別の１つを利用して、合成音声によって患者の用件を看護師に伝達する際の呼出信号をナースコール親機１に送信することができるようにしている。
【００４９】
復旧信号受信部５０６は、用件伝達型子機７の復旧ボタン７ｄの押下に応じて用件伝達型子機７の復旧信号送信部７０５により送信された復旧信号（合成音声出力指示信号）を受信する。復旧信号受信部５０６は、復旧信号送信部７０５により送信された復旧信号を受信した場合、その復旧信号に含まれるボタン識別情報を合成音声生成部５０４に通知する。
【００５０】
応答通知中継部５０２は、ナースコール親機１から送られてくる応答通知信号を受信し、用件伝達型子機７に中継する。通話路関連処理部５０３は、ナースコール親機１との間で通話路の形成に関する処理を行う。通話路の形成に関する処理とは、ナースコール親機１の通話路形成部１０４と協働して通話路を形成するための処理であり、例えば通話路形成部１０４からの要求に応じて、当該要求に応じた処理を実行する。
【００５１】
ハンド形子機６からの呼び出しに対してナースコール親機１にて応答操作が行われた場合、通話路関連処理部５０３は、ナースコール親機１の通話路形成部１０４と協働して、ナースコール親機１とハンド形子機６との間に通話路を形成するために必要な処理を行う。この場合の処理のために、ハンド形子機６も通話路関連処理部を備えているが、図示を省略している。また、用件伝達型子機７からの呼び出しに対してナースコール親機１にて応答操作が行われた場合、通話路関連処理部５０３は、ナースコール親機１の通話路形成部１０４と協働して、ナースコール親機１と中継器５との間に通話路を形成するために必要な処理を行う。ナースコール親機１と中継器５との間に通話路が形成された場合、通話路関連処理部５０３はその旨を合成音声生成部５０４に通知する。
【００５２】
合成音声生成部５０４は、用件伝達型子機７から受信した呼出信号または復旧信号に含まれるボタン識別情報に応じた音声データを音声データ記憶部５１１から読み出して原語の合成音声を生成する。すなわち、合成音声生成部５０４は、呼出信号中継部５０１が用件伝達型子機７から呼出信号を受信した場合（合成音声生成部５０４が呼出信号中継部５０１からボタン識別情報の通知を受けた場合）、ナースコール親機１と中継器５との間に通話路が形成された後、当該呼出信号に含まれるボタン識別情報に応じた音声データを音声データ記憶部５１１から読み出して合成音声を生成する。音声データ記憶部５１１は、複数種類の合成音声に対応した複数の音声データとボタン識別情報とを関連付けて記憶している。複数種類の合成音声は、患者が看護師に伝える用件の内容を日本語で示したものである。また、合成音声生成部５０４は、復旧信号受信部５０６が用件伝達型子機７から復旧信号を受信した場合（合成音声生成部５０４が復旧信号受信部５０６からボタン識別情報の通知を受けた場合）、当該復旧信号に含まれるボタン識別情報に応じた音声データを音声データ記憶部５１１から読み出して合成音声を生成する。
【００５３】
図４は、本実施形態による音声データ記憶部５１１が記憶する複数の音声データに対応する合成音声の内容およびボタン識別情報との関連付けを模式的に示す図である。図４に示す８個の合成音声は、図２に示した８個の用件ボタン７ａに対応したものである。すなわち、「toilet（トイレ）」、「agonizing（苦しい）」、「medicine（くすり）」、「tube feeding（経管栄養）」、「painful（痛い）」、「phlegm（痰）」、「infusion（点滴）」、「affair（用事）」の各文言が記された８個の用件ボタン７ａのボタン識別情報「００１」〜「００８」と関連付けて、図４に示す８個の合成音声を生成するための音声データが音声データ記憶部５１１に記憶されている。例えば、用件伝達型子機７の筐体において最も左上に配置された１番目の用件ボタン７ａに対応するボタン識別情報「００１」と関連付けて、「トイレに行きたいです。」という日本語の合成音声の音声データが記憶されている。また、用件伝達型子機７の筐体において最も右下に配置された８番目の用件ボタン７ａに対応するボタン識別情報「００８」と関連付けて、「用事があります。」という日本語の合成音声の音声データが記憶されている。
【００５４】
合成音声送信部５０５は、呼出信号中継部５０１が用件伝達型子機７から呼出信号を受信した場合（合成音声生成部５０４が呼出信号中継部５０１からボタン識別情報の通知を受けた場合）、当該呼出信号に含まれるボタン識別情報に応じた日本語の合成音声（合成音声生成部５０４により生成された合成音声）を、通話路を介してナースコール親機１に送信する。
【００５５】
本実施形態では、ナースコールシステムに用意された限られた数の呼出種別を用いて、呼出種別の数よりも多い種類の用件を看護師に伝達するための合成音声をナースコール親機１に送信することができるようにしている。本実施形態では、例えば一般呼出という１つの呼出種別を用いて、８種類の用件の合成音声をナースコール親機１に送信することが可能である。
【００５６】
また、合成音声生成部５０４は、復旧信号受信部５０６が用件伝達型子機７から復旧信号を受信した場合（合成音声生成部５０４が復旧信号受信部５０６からボタン識別情報の通知を受けた場合）、当該復旧信号に含まれるボタン識別情報に応じた日本語の合成音声（合成音声生成部５０４により生成された合成音声）をハンド形子機６に送信する。
【００５７】
ナースコール親機１の呼出信号受信部１０１は、中継器５の呼出信号中継部５０１により中継されたハンド形子機６からの呼出信号および用件伝達型子機７からの呼出信号を受信する。報知処理部１０２は、呼出信号受信部１０１による呼出信号の受信に応じて所定の報知動作を行い、応答操作検出部１０３により検出される所定の応答操作に応じて報知動作を停止する。すなわち、報知処理部１０２は、呼出信号受信部１０１が呼出信号を受信した場合、スピーカ１１１から呼出音を出力するとともに、ディスプレイ１１２に対して呼び出しに係る患者および呼出種別などの情報を表示させるといった報知動作を実行する。その後、応答操作検出部１０３がオフフック等の応答操作を検出すると、報知処理部１０２は上述の報知動作を停止するとともに、応答通知信号を中継器５に送信する。
【００５８】
通話路形成部１０４は、呼出信号の受信に応じて行われる報知動作に対する応答操作を応答操作検出部１０３が検出したときに、中継器５またはハンド形子機６との間に通話路を形成する。すなわち、ハンド形子機６からの呼出信号に応じて行われる報知動作に対する応答操作を応答操作検出部１０３が検出した場合、通話路形成部１０４は、ハンド形子機６との間に通話路を形成する処理を行う。また、用件伝達型子機７からの呼出信号に応じて行われる報知動作に対する応答操作を応答操作検出部１０３が検出した場合、通話路形成部１０４は、中継器５との間に通話路を形成する処理を行う。
【００５９】
合成音声受信部１０５は、通話路形成部１０４により形成された通話路を介して中継器５の合成音声送信部５０５から送られてくる合成音声の音声信号を受信する。合成音声出力部１０６は、合成音声受信部１０５により受信された合成音声の音声信号に基づいて、用件の合成音声をスピーカ１１１から出力する。看護師は、スピーカ１１１から出力される日本語の合成音声を聞くことにより、患者との間で通話を行うことなく、患者が伝えてきている用件を把握することができる。
【００６０】
ハンド形子機６の合成音声受信部６０１は、中継器５の合成音声送信部５０５から送信された合成音声の音声信号を受信する。合成音声出力部６０２は、合成音声受信部６０１により受信された合成音声の音声信号に基づいて、合成音声をスピーカ６ｂから出力する。看護師は、スピーカ６ｂから出力される日本語の合成音声を聞くことにより、復旧ボタン７ｄの操作時に用件伝達型子機７において識別可能に表示されていた用件ボタン７ａに対応する用件の内容（患者が用件ボタン７ａの押下によって伝えた用件）を日本語で把握することができる。
【００６１】
以上のように、本実施形態では、呼出信号中継部５０１が用件伝達型子機７から呼出信号を受信した場合は、合成音声生成部５０４により生成された合成音声をナースコール親機１に送信することによって当該合成音声をナースコール親機１のスピーカ１１１から出力させる一方、ハンド形子機６のスピーカ６ｄからは合成音声を出力させないようにしている。また、復旧信号受信部５０６が用件伝達型子機７から復旧信号を受信した場合は、合成音声生成部５０４により生成された合成音声をハンド形子機６に送信することによって当該合成音声をハンド形子機６のスピーカ６ｄから出力させる一方、ナースコール親機１のスピーカ１１１からは合成音声を出力させないようにしている。
【００６２】
図５および図６は、以上のように構成した本実施形態によるナースコールシステムの動作例を示すフローチャートである。図５のフローチャートは、患者が何れかの用件ボタン７ａを押下したときに実行される合成音声の出力処理と、用件ボタン７ａおよび応答表示ランプ７ｃの表示制御に関する動作例を示しており、その他の処理に関する動作は省略している。図６のフローチャートは、看護師が復旧ボタン７ｄを押下したときに実行される合成音声の出力処理と、用件ボタン７ａの表示制御に関する動作例を示しており、その他の処理に関する動作は省略している。なお、図５および図６に示すフローチャートにおいて、制御機２、廊下灯３および壁埋込形子機４の動作については説明を省略している。
【００６３】
図５において、まず、患者により何れかの用件ボタン７ａが押下されたことを押下検出部７０１が検出すると（ステップＳ１）、表示制御部７０３は、押下された用件ボタン７ａを点灯させる（ステップＳ２）。また、呼出信号送信部７０２は、押下された用件ボタン７ａを識別可能なボタン識別情報を含む呼出信号を中継器５に送信する（ステップＳ３）。中継器５の呼出信号中継部５０１は、呼出信号送信部７０２により送信された呼出信号を受信し、特定の一の呼出種別の呼出信号としてナースコール親機１に中継する（ステップＳ４）。
【００６４】
ナースコール親機１の呼出信号受信部１０１は、用件伝達型子機７から中継器５、壁埋込形子機４、廊下灯３および制御機２を介して送られてきた呼出信号を受信する（ステップＳ５）。報知処理部１０２は、呼出信号受信部１０１による呼出信号の受信に応じて所定の報知動作を行う（ステップＳ６）。この報知動作の最中、応答操作検出部１０３は、看護師による応答操作が行われたか否かを監視する（ステップＳ７）。
【００６５】
看護師による応答操作が応答操作検出部１０３により検出された場合、報知処理部１０２は、報知動作を停止する（ステップＳ８）。これに応じて報知処理部１０２は、応答通知信号を中継器５に送信する（ステップＳ９）。また、通話路形成部１０４は、中継器５との間に通話路を形成する（ステップＳ１０）。中継器５の応答通知中継部５０２は、ナースコール親機１から送られてくる応答通知信号を受信し、用件伝達型子機７に中継する（ステップＳ１１）。
【００６６】
用件伝達型子機７の応答通知受信部７０４は、応答通知中継部５０２により中継された応答通知信号を受信し、その旨を表示制御部７０３に通知する（ステップＳ１２）。この通知を受けて表示制御部７０３は、例えば応答表示ランプ７ｃを一定時間点灯させた後、消灯させる（ステップＳ１３）。
【００６７】
上記ステップＳ１０における通話路形成部１０４の処理によってナースコール親機１と中継器５との間の通話路が形成されると、中継器５の合成音声生成部５０４は、ステップＳ４で呼出信号中継部５０１が用件伝達型子機７から受信した呼出信号に含まれるボタン識別情報に応じた音声データを音声データ記憶部５１１から読み出して合成音声を生成する（ステップＳ１４）。
【００６８】
次いで、合成音声送信部５０５は、合成音声生成部５０４により生成された合成音声の音声信号をナースコール親機１に送信する（ステップＳ１５）。ナースコール親機１では、中継器５から送信された合成音声の音声信号を合成音声受信部１０５により受信し（ステップＳ１６）、合成音声出力部１０６がその合成音声の音声信号に基づいて合成音声をスピーカ１１１から出力する（ステップＳ１７）。看護師は、スピーカ１１１から出力される合成音声を聞くことにより、患者が伝えてきている用件を把握することができる。以上により、図５に示すフローチャートの処理が終了する。この後看護師は、把握した用件に対応した看護業務を行うべく、呼び出しが行われた病室に向かう。
【００６９】
図６において、用件伝達型子機７では、図５のステップＳ１３で応答表示ランプ７ｃの点灯を行った後、復旧ボタン７ｄが押下されたか否かを監視する（ステップＳ２１）。そして、病室に到着した看護師によって復旧ボタン７ｄが押下され、そのことを押下検出部７０１が検出すると、表示制御部７０３は、図５のステップＳ２で点灯した用件ボタン７ａを消灯させる（ステップＳ２２）。
【００７０】
また、看護師により復旧ボタン７ｄが押下されたことを押下検出部７０１が検出すると、復旧信号送信部７０５は、それまで点灯中であった用件ボタン７ａを識別可能なボタン識別情報を含む復旧信号を中継器５に送信する（ステップＳ２３）。中継器５の復旧信号受信部５０６は、復旧信号送信部７０５により送信された復旧信号を受信し、その中に含まれるボタン識別情報を合成音声生成部５０４に通知する（ステップＳ２４）。
【００７１】
この通知を受けて、合成音声生成部５０４は、通知されたボタン識別情報に応じた音声データを音声データ記憶部５１１から読み出して合成音声を生成する（ステップＳ２５）。次いで、合成音声送信部５０５は、合成音声生成部５０４により生成された合成音声の音声信号をハンド形子機６に送信する（ステップＳ２６）。
【００７２】
ハンド形子機６では、中継器５から送信された合成音声の音声信号を合成音声受信部６０１により受信し（ステップＳ２７）、合成音声出力部６０２がその合成音声の音声信号に基づいて合成音声をスピーカ６ｄから出力する（ステップＳ２８）。看護師は、スピーカ６ｄから出力される合成音声を聞くことにより、患者が用件ボタン７ａの押下によって伝えた用件を日本語で把握することができる。以上により、図６に示すフローチャートの処理が終了する。
【００７３】
以上詳しく説明したように、本実施形態によるナースコールシステムでは、用件伝達型子機７が、外国語で用件の内容が表記された複数の用件ボタン７ａを有し、何れかの用件ボタン７ａの押下に応じて呼出信号を送信する一方、押下された用件ボタン７ａに対応する用件の内容を識別可能に表示させた表示状態にするとともに、復旧ボタン７ｄの押下に応じて表示状態を解除するようにしている。また、本実施形態では、復旧ボタン７ｄの押下に応じて、識別可能に表示されていた用件ボタン７ａに対応する用件の内容を表す原語の合成音声をハンド形子機６のスピーカ６ｂから出力するようにしている。
【００７４】
このように構成した本実施形態によれば、呼び出しを受けて患者のもとに訪れた看護師が復旧ボタン７ｄを押下すると、それまで点灯中で用件の内容が識別可能（ただし、外国語による）に表示されていた用件ボタン７ａに対応する用件の内容を表す合成音声が原語で出力される。このため、用件ボタン７ａの押下によって呼び出しが行われた現場において、看護師は、外国語で用件の内容が表記された用件ボタン７ａを見て用件の内容を把握することができなくても、患者の説明を要することなく、原語で出力される合成音声によって患者の用件を容易に把握することができる。
【００７５】
なお、上記実施形態では、ナースコール子機（用件伝達型子機７）が設置される部屋内で行われる所定の復旧操作の一例として、用件伝達型子機７に設けられた復旧ボタン７ｄの押下操作を例示したが、本発明はこれに限定されない。例えば、壁埋込形子機４に設けた復旧ボタンの押下操作に応じて、復旧信号を中継器５を介して用件伝達型子機７に送信することにより、点灯中の用件ボタン７ａを消灯して復旧状態にするとともに、合成音声をハンド形子機６に出力するようにしてもよい。
【００７６】
また、上記実施形態では、復旧ボタン７ｄの押下に応じて、合成音声出力指示信号の一例である復旧信号を中継器５に送信する例について説明したが、本発明はこれに限定されない。例えば、復旧ボタン７ｄとは異なる専用のボタンを用件伝達型子機７に設け、この専用ボタンの押下に応じて、合成音声出力指示信号を中継器５に送信するようにしてもよい。この場合、専用ボタンの押下操作が、特許請求の範囲の「上記音声出力関連処理実行部が上記関連処理を実行するトリガとなる上記所定の操作（所定の復旧操作とは別の操作）」に相当する。このようにすれば、点灯中の用件ボタン７ａに記されている外国語の文言を見て用件の内容を理解することができないときだけ、専用ボタンを押下して原語の合成音声を出力させるようにすることが可能となる。
【００７７】
また、上記実施形態では、用件伝達型子機７の用件ボタン７ａに記される文言の言語が固定である例（図２の例では英語）について説明したが、これを任意に変更できるようにしてもよい。例えば、用件ボタン７ａの透光性を有する樹脂部材を着脱可能に構成し、この樹脂部材を交換することによって文言の言語を変更できるようにする。別の例として、文言の部分以外が透明なシールを設け、用件ボタン７ａに貼り付けるシールを交換するようにしてもよい。このようにすれば、用件伝達型子機７を使用する患者に合わせて、患者が読める言語で用件の文言を記した状態にすることができる。
【００７８】
このように構成する場合、専用ボタンの押下に応じて合成音声出力指示信号を中継器５に送信する構成とするのが好ましい。用件ボタン７ａに記す文言を原語（日本語）とする場合、看護師は用件ボタン７ａの文言を見るだけで用件の内容を理解できるので、合成音声の出力は不要である。よって、復旧ボタン７ｄとは異なる専用ボタンを設けることにより、１つの用件伝達型子機７を患者に合わせて様々な言語表記で使用することができるようにするとともに、用件ボタン７ａの文言を原語で記すときは、復旧ボタン７ｄの押下に対応して用件ボタン７ａの表示状態を解除するのみとし、合成音声は出力しないようにすることができる。
【００７９】
また、上記実施形態では、復旧信号受信部５０６が用件伝達型子機７から復旧信号を受信した場合、中継器５にて生成した合成音声をハンド形子機６のスピーカ６ｂから出力させるようにしているが、本発明はこれに限定されない。例えば、中継器５にスピーカを設け、中継器５のスピーカから合成音声を出力するようにしてもよい。ただし、ハンド形子機６が元々備えているスピーカ６ｂを利用して合成音声を出力するようにすることで、中継器５の構成を簡略化することができるというメリットを有する。
【００８０】
また、上記実施形態では、復旧ボタン７ｄが押下された場合に、中継器５にて合成音声を生成してハンド形子機６のスピーカ６ｂから出力する例について説明したが、本発明はこれに限定されない。例えば、用件伝達型子機７に合成音声の生成機能とスピーカとを設け、用件伝達型子機７のスピーカから合成音声を出力するようにしてもよい。この場合、用件伝達型子機７の内部で行われる合成音声の生成および出力に関する処理が、特許請求の範囲の「上記表示制御部により識別可能に表示されている用件ボタンに対応する用件の内容を表す原語の合成音声を出力するための関連処理」に相当する。
【００８１】
また、上記実施形態では、用件伝達型子機７と中継器５との間を無線で接続する例を示したが、有線で接続するようにしてもよい。また、上記実施形態では、用件伝達型子機７が内蔵バッテリから電源を得て動作する例について説明したが、用件伝達型子機７を一般電源のコンセントに接続し、用件伝達型子機７がコンセントから電源を得て動作するようにしてもよい。
【００８２】
また、上記実施形態では、用件伝達型子機７の筐体にハードウェアとしての用件ボタン７ａを設ける構成について説明したが、本発明はこれに限定されない。例えば、タッチパネル付きのディスプレイに表示させたソフトウェアのＧＵＩ（グラフィカルユーザインタフェース）により用件ボタン７ａを構成するようにしてもよい。
【００８３】
このようにＧＵＩにより用件ボタン７ａを構成する場合、表示制御部７０３は、例えば、押下された用件ボタン７ａのＧＵＩをハイライト表示または強調表示したり、押下されていない用件ボタン７ａのＧＵＩをグレーアウト表示したりすることにより、押下された用件ボタン７ａに対応する用件の内容を識別可能に表示させた表示状態とすることが可能である。
【００８４】
また、上記実施形態では、壁埋込形子機４とハンド形子機６および用件伝達型子機７との間に中継器５を接続する構成について説明したが、本発明はこれに限定されない。例えば、中継器５が備える機能構成を用件伝達型子機７が備えることによって中継器５を省略し、壁埋込形子機４に対してハンド形子機６および用件伝達型子機７を接続するようにしてもよい。
【００８５】
また、上記実施形態では、用件伝達型子機７の用件ボタン７ａに記される文言の言語を外国語とし、ハンド形子機６のスピーカ６ｂから出力される合成音声の言語を日本語としているが、これに限定されない。例えば、ナースコールシステムが日本で使用される場合であっても、患者が日本人であり、看護師が外国人である場合には、用件伝達型子機７の用件ボタン７ａに記される文言を日本語とし、ハンド形子機６のスピーカ６ｂから出力される合成音声を上述した外国人が使用する外国語とするようにしても良い。このように、ハンド形子機６のスピーカ６ｂから出力される合成音声の言語は看護師の原語であることが好ましく、用件伝達型子機７の用件ボタン７ａに記される文言は上述した原語と異なる言語であり患者の使用言語であることが好ましい。
【００８６】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００８７】
１  ナースコール親機
２  制御機
３  廊下灯
４  壁埋込形子機
５  中継器
６  ハンド形子機（第２のナースコール子機）
７  用件伝達型子機（ナースコール子機、ナースコール装置）
７ａ  用件ボタン
７ｃ  応答表示ランプ
７ｄ  復旧ボタン
１０２  報知処理部
１０４  通話路形成部
１０５  合成音声受信部
１０６  合成音声出力部
５０１  呼出信号中継部
５０４  合成音声生成部
５０５  合成音声送信部
５０６  復旧信号受信部
５１１  音声データ記憶部
６０１  合成音声受信部
６０２  合成音声出力部
７０１  押下検出部
７０２  呼出信号送信部
７０３  表示制御部
７０５  復旧信号送信部（音声出力関連処理実行部）
【図１】
2020191512.tif 000003
【図２】
2020191512.tif 000004
【図３】
2020191512.tif 000005
【図４】
2020191512.tif 000006
【図５】
2020191512.tif 000007
【図６】
2020191512.tif 000008